(57)【要約】【課題】メモリーカードがユーザを含む人や物体に当たって破損することを防止した携帯型情報処理装置を提供する。【解決手段】折り畳み型の携帯型情報処理装置であって、下部筐体内に固定され、複数の矩形状の二次電池を配列したバッテリーパックは、二次電池のうち下部筐体の底面のゴム脚に位置する二次電池と他の二次電池との間にゴム脚の高さ分の段差を有し、下部筐体の側面に設けられたメモリーカード用のスロットの挿入口とスロットとの間に延長ガイドを挿入した。【選択図】図４
2014013466.tif 000002
【特許請求の範囲】
【請求項１】
下部筐体にキーボードを有し、上部筐体に表示部を有する折り畳み型の携帯型情報処理装置であって、
前記下部筐体の側面に設けられたメモリーカード用のスロットの挿入口と前記スロットとの間に延長ガイドを挿入したことを特徴とする携帯型情報処理装置。
【請求項２】
前記延長ガイドは、横長矩形断面形状の筒であることを特徴とする請求項１記載の携帯型情報処理装置。
【請求項３】
前記延長ガイドは、樹脂からなることを特徴とする請求項１または２記載の携帯型情報処理装置。
【請求項４】
前記バッテリーパックは、 前記下部筐体内に前記下部筐体の底板及び天板に部分的に面接触するように配置されたことを特徴とする請求項１から３の何れか一項記載の携帯型情報処理装置。
【請求項５】
前記下部筐体には、前記キーボードの下側にマザーボードが配置され、前記マザーボードと前記下部筐体の前面側の側壁との間には、前記バッテリーパックが配置されていることを特徴とする請求項１から４の何れか一項記載の携帯型情報処理装置。
【請求項６】
前記バッテリーパックは、二次電池の数が６セルの場合、中央に２行２列配置し、下段の二次電池列の両側に１セルずつ配置し、凸字平面形状のケースに収納されていることを特徴とする請求項１から５の何れか一項記載の携帯型情報処理装置。
【発明の詳細な説明】
【技術分野】
【０００１】
本発明は、情報処理装置に関し、特に携帯型情報処理装置に関する。
【背景技術】
【０００２】
折り畳み型の情報処理装置としては、下部筐体にキーボードを有し、上部筐体に表示部を有し、両者を蝶番で連結したノートブック型パーソナルコンピュータ（以下、ノートパソコンと表記）が一般的である。この種のノートパソコンにはメモリーカードを着脱自在に装着するためのスロット（コネクタとも言う。）が用いられている（例えば、特許文献１参照。）。
【０００３】
特許文献１に記載の発明は、「メモリーカード用コネクタ」に関するものであり、具体的には、「メモリーカードを収納する筐体の側面に配設されるイジェクトレバーの一部を当該筐体の上面と下面に延設し、筐体の側面に設けられるホールドダウンを、前記筐体側面の長手方向の略中央で、且つ、筐体の厚さの範囲内にプリント基板が位置するように設けた」ものである。
【先行技術文献】
【特許文献】
【０００４】
【特許文献１】特開２００２−２４６１０９号公報
【発明の概要】
【発明が解決しようとする課題】
【０００５】
ところで、ノートパソコンにはメモリーカードを使用するためのスロットを有するものが多い。このスロットは、メモリーカードが差し込まれた場合に、スロットの端部からメモリーカードを、ノートパソコンに内蔵されるマザーボードの端部に配置すると、メモリーカードが差し込まれた状態で、下部筐体から突出するメモリーカードの部分が長すぎる。そのため、メモリーカードがユーザを含む人や物体に当たって破損する等の問題があった。
【０００６】
このような破損事故に対応するため、メモリーカードをノートパソコンの内部に引き込む構造をとると、下部筐体の開口部とメモリーカードとの間に隙間が生じる。このような場合は、下部筐体の厚みを変えることによって隙間を埋めていたが、下部筐体に用いる板金が極めて薄い場合、下部筐体の厚みを変えることができない。
【０００７】
そこで、本発明の目的は、メモリーカードがユーザを含む人や物体に当たって破損することを防止した携帯型情報処理装置を提供することにある。
【課題を解決するための手段】
【０００８】
上記課題を解決するため、請求項１に係る発明は、下部筐体にキーボードを有し、上部筐体に表示部を有する折り畳み型の携帯型情報処理装置であって、前記下部筐体の側面に設けられたメモリーカード用のスロットの挿入口と前記スロットとの間に延長ガイドを挿入したことを特徴とする。
【発明の効果】
【０００９】
本発明によれば、メモリーカードがユーザを含む人や物体に当たって破損することを防止した携帯型情報処理装置の提供を実現することができる。
【図面の簡単な説明】
【００１０】
【図１】（ａ）は、携帯型情報処理装置１０としてのノートパソコンの下部筐体の上面図であり、（ｂ）は、（ａ）に示した下部筐体を有するノートパソコンを前面から見た外観図であり、（ｃ）は、（ａ）の右側面図である。
【図２】図１（ａ）に示した下部筐体を裏（底板）側から見たときの位置関係を示す底面図である。
【図３】（ａ）は、下部筐体１１におけるバッテリーパック３１の上から見たときの位置関係を説明するための概念図であり、（ｂ）は、（ａ）に示した下部筐体１１のIIIｂ−IIIｂ線断面図であり、（ｃ）は、（ａ）に示したバッテリーパックのIIIｃ−IIIｃ線断面図である。
【図４】（ａ）は、図１（ａ）に示したノートパソコンのスロット４１にメモリーカード４０を差し込む前の状態を示す外観斜視図であり、（ｂ）は、（ａ）に示したメモリーカード４０をスロット４１に差し込んだ後の状態を示す外観斜視図である。
【発明を実施するための形態】
【００１１】
［構  成］
図１（ａ）は、携帯型情報処理装置１０としてのノートパソコンの下部筐体の上面図であり、図１（ｂ）は、図１（ａ）に示した下部筐体を有するノートパソコンを前面から見た外観図であり、図１（ｃ）は、図１（ａ）の右側面図である。尚、説明上図１（ａ）において上部筐体は省略されている。また、図１（ｂ）において上部筐体及び下部筐体は閉じた状態を示している。
【００１２】
図１（ａ）に示す板金（例えば、ＬＡ１４１：マグネシウム・リチウム合金）からなる下部筐体１１の上面の中央から背面にわたるほぼ半分の横長の領域にキーボード１２が配置されている。下部筐体１１の上面の中央から前面にわたる残りの半分の領域の中央にタッチパッド１３が配置されている。下部筐体１１のキーボード１２の背面側近傍には電源スイッチ１６が配置されている。
下部筐体１１の一方（例えば、右側）の側面には、例えば、ＵＳＢ（Ｕｎｉｖｅｒｓａｌ  Ｓｅｒｉａｌ  Ｂｕｓ）ポートが配置されている。
下部筐体１１の他方（この場合、左側）の側面には、例えば、ＳＤ（Ｓｅｃｕｒｅ  Ｄｉｇｉｔａｌ）メモリーカード（以下、「メモリーカード」と表記）４０用のスロット４１、及び排気口が配置されている。
下部筐体１１の前面には、一対のスピーカ２５Ｌ、２５Ｒ、ＬＥＤ（Ｌｉｇｈｔ  Ｅｍｉｔｔｉｎｇ  Ｄｉｏｄｅ）インジケータが配置されている。
下部筐体１１の右側には、電源（ＤＣ：Ｄｉｒｅｃｔ  Ｃｕｒｒｅｎｔ）入力コネクタが配置されている。これらの各部品の配置は限定されるものではない。
上部筐体１４は、表示部を有し下部筐体１１の背面側に設けられた蝶番により下部筐体１１と開閉自在に連結されている。
【００１３】
図２は、図１（ａ）に示した下部筐体を裏（底板）側から見たときの位置関係を示す底面図である。
図２に示す下部筐体１１の右奥には冷却ファン２２が配置され、冷却ファン２２の近傍にはスロット４１が配置されている。下部筐体１１の冷却ファン２２の左側の領域には、図示しないマザーボードが配置される。下部筐体１１の左側中央にはＳＳＤ（Ｓｏｌｉｄ  Ｓｔａｔｅ  Ｄｒｉｖｅ）２１が配置されている。ＳＳＤ２１は、ＨＤＤ（Ｈａｒｄ  Ｄｉｓｋ  Ｄｒｉｖｅ）と同様に大容量（例えば、数〜数十ＧＢ）の記憶容量を有する記憶媒体である。
下部筐体１１の前面側のほぼ矩形状の領域２４は、後述するバッテリーパック３１の底面と面接触するための領域である。
【００１４】
図３（ａ）は、下部筐体１１におけるバッテリーパック３１の上から見たときの位置関係を説明するための概念図であり、図３（ｂ）は、図３（ａ）に示した下部筐体１１のIIIｂ−IIIｂ線断面図であり、図３（ｃ）は、図３（ａ）に示したバッテリーパックのIIIｃ−IIIｃ線断面図である。尚、説明の都合上、バッテリーパックは実際より厚く、大きめに記載されている。
【００１５】
図３（ａ）に示すように、下部筐体１１の右側面にメモリーカード用のスロット４１が配置されている。スロット４１は、図には示されないマザーボードに固定されている。
スロット４１の左下にはバッテリーパック３１が配置されている。
バッテリーパック３１は、６セルの場合で説明する。バッテリーパック３１のケース中には、矩形状（例えばタイル状、もしくはシート状）の二次電池３２ｃ、３２ｂ、３２ｄ、３２ｅが中央に２行２列配置され、下段の二次電池列の両側に二次電池３２ａ、３２ｆが１セルずつ配置され、凸字平面形状に収納されている。これは、下部筐体１１の厚みを薄くするためである。
【００１６】
ここで、バッテリーパック３１のケースは、図３（ｃ）に示すように、ガルウィング状に形成されている。すなわち、中央の二次電池３２ｂ〜３２ｅに対し、両側の二次電池３２ａ、３２ｆが高くなるように（段差ｈを有するように）ケース内に配置されている。この段差ｈは、下部筐体１１の底面の四隅に配置されるゴム脚１５の収容部（下から見ると凹部、内部から見ると凸部となる。）の高さ分に合わせて設定されている。
ゴム脚１５は、下部筐体１１の四隅（限定されない）に外側から内側に向かって粘着剤で貼り付けられている。
【００１７】
バッテリーパック３１は、そのケースの二次電池３２ｂ〜３２ｅに対応する下面が下部筐体１１の底面１１ｂと面接触し、そのケースの二次電池３２ａ、３２ｆに対応する下面がゴム脚１５の収容部と接触し、そのケースの二次電池３２ａ、３２ｆに対応する上面が下部筐体１１の天板１１aに部分的に面接触するとともに、前面側の側面がスピーカ２５Ｒ，２５Ｌと接触して押さえるようになっている。尚、バッテリーパック３１の背面側は図示しないマザーボード、ＳＳＤや各部品と隣り合うように配置されている。バッテリーパック３１は図示しないリード線及びスロットでマザーボードと接続され、電源を供給できるようになっている。
【００１８】
ここで、下部筐体１１には、キーボード１２の下側に図示しないマザーボードが配置され、マザーボードと下部筐体１１の前面側の側壁との間には、バッテリーパック３１が配置されているが、これは、ＣＰＵや冷却ファン等の発熱部品を操作者側から遠ざけることにより不快感を回避するためである。
【００１９】
二次電池３２ａ〜３２ｆは、リチウムイオンポリマー電池であるのが好ましい。円柱状の二次電池を用いる場合と比べて携帯型情報処理装置を薄く、軽く構成することができるためである。
【００２０】
図４（ａ）は、図１（ａ）に示したノートパソコンのスロット４１にメモリーカード４０を差し込む前の状態を示す外観斜視図であり、図４（ｂ）は、図４（ａ）に示したメモリーカード４０をスロット４１に差し込んだ後の状態を示す外観斜視図である。
【００２１】
スロット４１は、スロット４３と、スロット本体４３の開口部から下部筐体１１の側面までの間に挿入された延長ガイド４２とで構成されている。スロット本体４３は、通常の市販されているスロットであればよく、メモリーカード４０を差し込むとロックし、再度メモリーカード４０を押すとロックが解除される機構を有することが好ましい。延長ガイド４２は、横長の矩形断面形状を有する筒状部材であり、例えば熱可塑性樹脂やエンジニアイングプラスチック等の合成樹脂で構成される。
【００２２】
延長ガイド４２の長さＬＧは、メモリーカード４０を、長さＬＳのスロット４１に差し込んだときにメモリーカード４１が下部筐体１１の側面から露出する部分の長さＬＯが所定の範囲内であればよい。長さＬＯは、メモリーカード４０をスロット４１に差し込んだままノートパソコンを使用したときに、ユーザを含む人や物により破損されない程度の長さが好ましく、例えば２ｍｍ〜５ｍｍ程度が好ましい。
【００２３】
［作用効果］
メモリーカード用として市販されているスロットをスロット本体として、スロット本体の開口部と下部筐体の開口部との間に延長ガイドを挿入することにより、メモリーカードをスロットに差し込んだままノートパソコンを使用しても、メモリーカードの露出部は数ｍｍ程度であって外部の人や物との接触するおそれが大幅に減少するので、メモリーカードがユーザを含む人や物体に当たって破損することを防止した携帯型情報処理装置の提供を実現することができる。
【００２４】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００２５】
１０    携帯型情報処理装置
１１    下部筐体
１１ａ    天板
１１ｂ    底板
１２    キーボード
１３    タッチパッド
１４    上部筐体
１５    ゴム脚
１６    電源スイッチ
２１    ＳＳＤ
２２    冷却ファン
２５Ｌ、２５Ｒ    スピーカ
３１    バッテリーパック
３２ａ〜３２ｆ    二次電池
４０    ＳＤメモリーカード（メモリーカード）
４１    スロット
４２    延長ガイド
４３    スロット本体
ｈ    段差
【図１】
2014013466.tif 000003
【図２】
2014013466.tif 000004
【図３】
2014013466.tif 000005
【図４】
2014013466.tif 000006